(57)【要約】【課題】  表側と裏側の状態をほぼ同様の外観にすることができ、また、木製材料を使用して構成できるフェンスを提供する。【解決手段】  適宜間隔で設けられた支柱１に横ビーム２を支持させるとともに、横ビームの両側に縦材３を装着してフェンスＦを構成する。横ビームは、平行な二枚の当接片２１，２２および両当接片を連続させる連続片２３により構成されている。縦材は、その一部を当接片に当接させながら装着する。装着には、貫通ボルト５１により縦材および当接片を貫挿させ、横ビームの内側において貫通ボルトに螺合するナット５２の締着により行う。【選択図】  図１
2006214121.tif 000002
【特許請求の範囲】
【請求項１】
適宜間隔で設けられた支柱に横ビームを支持させるとともに、この横ビームに縦材を装着してなるフェンスにおいて、上記横ビームは、平行な二枚の当接片および両当接片を連続させる連続片により構成された横ビームであり、上記縦材は、その一部を上記当接片に当接させつつ該当接片に装着してなる縦材であることを特徴とするフェンス。
【請求項２】
適宜間隔で設けられた支柱に横ビームを支持させるとともに、この横ビームに縦材を装着してなるフェンスにおいて、上記横ビームは、二枚の当接片およびこの両片を連続してなる連続片により断面形状略コ字形に成形し、この略コ字形断面の開口端を上向きまたは下向きにして支柱に支持された横ビームであり、上記当接片のいずれか一方または双方の外側表面に、上記縦材の一部を当接させつつ該縦材を装着してなることを特徴とするフェンス。
【請求項３】
前記横ビームの当接片は、その長手方向に沿って整列してなる複数の貫通孔が設けられた当接片であり、前記縦材は、上記貫通孔に挿通可能な装着部材を突出してなる縦材である請求項１または２記載のフェンス。
【請求項４】
前記装着部材は、雄ネジを有するネジ部材であり、該ネジ部材を前記横ビームの貫通孔に挿通させつつ該横ビームの内側から雌ネジ部を螺合させることによって前記縦材を装着してなる請求項３記載のフェンス。
【請求項５】
適宜間隔で設けられた支柱に横ビームを支持させるとともに、この横ビームに縦材を装着してなるフェンスにおいて、上記横ビームは、二枚の当接片およびこの両片を連続してなる連続片により断面形状略コ字形に成形し、上記当接片には長手方向に所定間隔で穿設してなる複数の貫通孔を設け、上記略コ字形断面の開口端が下向きとなるように支柱に支持させてなる横ビームであり、上記縦材は、貫通ボルトが貫挿され、かつ、該貫通ボルトの先端の雄ネジ部を突出させてなる縦材であり、上記横ビームの当接片のいずれか一方または双方の外側表面に上記縦材を当接しつつ上記貫通ボルトに雄ネジ部を貫通孔に挿通するとともに、該横ビームの内側において雌ネジ部を上記貫通ボルトに螺合させてなることを特徴とするフェンス。
【請求項６】
適宜間隔で設けられた支柱に横ビームを支持させるとともに、この横ビームに縦材を装着してなるフェンスにおいて、上記横ビームは、二枚の当接片およびこの両片を連続してなる連続片により断面形状略コ字形に成形し、上記略コ字形断面の開口端が上向きとなるように支柱に支持させてなる横ビームであり、上記縦材は、上記横ビームに装着すべき位置に係止片を突設してなる縦材であり、上記横ビームの当接片のいずれか一方の外側表面に上記縦材を当接しつつ該横ビームの開口端に該縦材の係止片を係止させてなることを特徴とするフェンス。
【請求項７】
前記縦材が木製である請求項１ないし６のいずれかに記載のフェンス。
【請求項８】
前記縦材は、前記横ビームを中心に対称となる位置関係で装着されてなる縦材である請求項１ないし７のいずれかに記載のフェンス。
【発明の詳細な説明】
【技術分野】
【０００１】
本発明は、フェンスに関し、また、木製の縦材による木製フェンスに関するものである。
【背景技術】
【０００２】
一般的なフェンスは、宅地などの境界に設けられるメッシュフェンスがあり、このフェンスは、金属製の線材を格子状に組み合わせた平パネルを支柱に固定するものであるが、この平パネルには表側と裏側が存在していた。すなわち、縦材を横ビームよりも前面に配置してなる側と、横ビームによって縦材が途切れた状態となる側が存在し、一方を表側とすれば他方は裏側となるものであった（特許文献１参照）。そして、このメッシュフェンスは横ビームおよび縦材を鋼線材などの金属製とするものであり、木製縦材を使用することは皆無であった。
【０００３】
また、木製材料を使用するフェンスには、支柱に対して横ビームを取り付けたもの（特許文献２参照）または鋼材を木質材で被覆した支柱、横ビームおよび縦材により構成したもの（特許文献３参照）があった。前者のフェンスにあっては、横ビームを支柱に直接取り付ける構成であるため、寸法精度が許容される範囲が狭く、事前に十分な測量等を行う必要があり、後者のフェンスにあっては、強度を維持させるために接合構造が複雑で、容易な交換が困難であった。
【０００４】
そこで、本願発明者は、木製の横ビームを使用した木製フェンスを発明したのである（特許文献４参照）。この発明の概略は、金属製の横ビームに複数の貫通孔を穿設し、固定部材によって木製の縦材および横ビームの貫通孔を挿通させることによって、横ビームと縦材とを固定するものであった。
【特許文献１】特開２００４−１３７８３１号公報（図４、図５）
【特許文献２】特開２００４−１００３８４号公報（４−５頁、図１−図３）
【特許文献３】特開平８−３０２６３１号公報（２−３頁、図１）
【特許文献４】特願２００４−２７２２９１号
【発明の開示】
【発明が解決しようとする課題】
【０００５】
上記従来技術は、いずれも横ビームの一方側に縦材が設けられているため、この縦材が現出する側を表側として構築されていた。しかしながら、道路の中央分離帯、本線と測道との境界、または、宅地の境界などのように、フェンスが両側から見られ得る状況下においては、フェンスの表側は外観よく仕上がるために意匠性に優れているが、裏側は横ビームや固定部材などの補強構造が現出するため、決して意匠性に優れたものではなかった。
【０００６】
本発明は、上記諸点にかんがみてなされたものであって、その目的とするところは、表側と裏側の状態をほぼ同様の外観にすることができ、また、木製材料を使用して構成できるフェンスを提供することである。
【課題を解決するための手段】
【０００７】
そこで、本発明は、適宜間隔で設けられた支柱に横ビームを支持させるとともに、この横ビームに縦材を装着してなるフェンスにおいて、上記横ビームは、平行な二枚の当接片および両当接片を連続させる連続片により構成された横ビームであり、上記縦材は、その一部を上記当接片に当接させつつ該当接片に装着してなる縦材であることを特徴とするフェンスを要旨とするものである。
【０００８】
上記のような構成であれば、横ビームを構成する平行な当接面に縦材を装着することができ、この縦材は、横ビームを中心として両側に配置させることができる。そして、ちょうど横ビームを中心として対称な位置に縦材を設けることにより、フェンスの両側に現出する縦材には、それよりも前側に横ビームが存在することがなく、縦材がきれいに整列したフェンスを構築することができる。
【０００９】
また、本発明は、適宜間隔で設けられた支柱に横ビームを支持させるとともに、この横ビームに縦材を装着してなるフェンスにおいて、上記横ビームは、二枚の当接片およびこの両片を連続してなる連続片により断面形状略コ字形に成形し、この略コ字形断面の開口端を上向きまたは下向きにして支柱に支持された横ビームであり、上記当接片のいずれか一方または双方の外側表面に、上記縦材の一部を当接させつつ該縦材を装着してなることを特徴とするフェンスをも要旨としている。
【００１０】
上記のような構成によれば、断面コ字形の横ビームを構成する相対向して平行に設けられた当接片により、同じ高さで縦材を装着することができる。そして、縦材は上記当接片に装着されることとなるため、縦材を装着するための部材は両当接部の中間に位置することとなり、横ビームの内側において外部から視認できない状態とすることができる。
【００１１】
上記の両発明において、前記横ビームの当接片として、長手方向に沿って整列してなる複数の貫通孔が設けられた当接片に構成することができ、前記縦材として、上記貫通孔に挿通可能な装着部材を突出してなる縦材に構成することができる。このような構成であれば、縦材から突出する装着部材が、当接片に設けられる貫通孔の任意のものに貫通させ、その位置で縦材を装着することができることとなり、縦材を装着する際のそれぞれの間隔を自由に選択し得ることとなる。
【００１２】
また、上記において、前記装着部材として、雄ネジを有するネジ部材で構成することができ、このネジ部材を横ビームの貫通孔に挿通させつつ、その横ビームの内側から雌ネジ部を螺合させることによって縦材を装着する構成とすることができる。このような構成にすれば、ネジ部材を横ビームの当接片に設けられた貫通孔に挿通させることが容易であり、この当接片の内側から雌ネジを螺合させるという作業のみにより縦材を装着することが可能となる。
【００１３】
さらに、本発明は、適宜間隔で設けられた支柱に横ビームを支持させるとともに、この横ビームに縦材を装着してなるフェンスにおいて、上記横ビームは、二枚の当接片およびこの両片を連続してなる連続片により断面形状略コ字形に成形し、上記当接片には長手方向に所定間隔で穿設してなる複数の貫通孔を設け、上記略コ字形断面の開口端が下向きとなるように支柱に支持させてなる横ビームであり、上記縦材は、貫通ボルトが貫挿され、かつ、該貫通ボルトの先端の雄ネジ部を突出させてなる縦材であり、上記横ビームの当接片のいずれか一方または双方の外側表面に上記縦材を当接しつつ上記貫通ボルトに雄ネジ部を貫通孔に挿通するとともに、該横ビームの内側において雌ネジ部を上記貫通ボルトに螺合させてなることを特徴とするフェンスを要旨としている。
【００１４】
上記のような構成とすることにより、断面形状略コ字形の開口端を下向きにしてなる横ビームは、上面および側面に開口する部分が存在しないため、横ビームと縦材の連結状態が外部から視認され難くすることができる。これと同時に、横ビーム内部への雨水の流入またはゴミの侵入を防止する。また、貫通ボルトが縦材を貫挿し、横ビームの当接片で雌ネジ部により螺合される構成であるから、貫通ボルトおよび雌ネジ部の締着により、縦材が貫通ボルトの頭部と当接片との間に挟まれ、当該縦材の装着を強固なものにすることができる。
【００１５】
また、本発明は、適宜間隔で設けられた支柱に横ビームを支持させるとともに、この横ビームに縦材を装着してなるフェンスにおいて、上記横ビームは、二枚の当接片およびこの両片を連続してなる連続片により断面形状略コ字形に成形し、上記略コ字形断面の開口端が上向きとなるように支柱に支持させてなる横ビームであり、上記縦材は、上記横ビームに装着すべき位置に係止片を突設してなる縦材であり、上記横ビームの当接片のいずれか一方の外側表面に上記縦材を当接しつつ該横ビームの開口端に該縦材の係止片を係止させてなることを特徴とするフェンスを要旨としている。
【００１６】
上記のような構成であれば、横ビームの当接片に貫通孔を設けることなく縦材の装着が可能となる。すなわち、横ビームは断面コ字形の開口端を上向きにしているから、当接片の上端縁は、横ビームの両側に配置されることとなり、しかも当接片の高さ相当の係入域が確保されている。そして、この係入域の範囲内で縦材に突設された係止片を引っ掛けることにより、縦材の十分な係止状態を得ることができる。
【００１７】
上記いずれかの発明において、前記縦材を木製で構成することができ、このような構成にする場合、間伐材を使用する縦材を設けることも可能となる。また、前記縦材として、前記横ビームを中心に対称となる位置関係で装着されてなる縦材とする構成にすることができる。この構成により、フェンスの一方の表面に装着される縦材の状態と、フェンスの他方の表面に設けられる縦材の状態を同様にすることができるため、フェンスをどちらの方向から見た場合でも同様の外観に構築させることができる。そして、フェンスの一方の表面に装着した縦材の裏側には他方の表面に装着された縦材が存在することとなるから、個々の縦材の裏側が相互に反対側の縦材で遮蔽されることとなり、フェンス両面が表側として機能し得ることとなる。
【発明の効果】
【００１８】
本発明によれば、横ビームの両側に縦材を設けることにより表側と裏側との状態をほぼ同様に構成することができる。また、木製材料で構成する縦ビームを使用した場合であっても、各縦材を容易に取り外すことができることから、その交換が容易となり、木製縦材によるフェンスとして長期間の使用が可能となる。
【００１９】
また、横ビームを断面コ字形にしてなる本発明によれば、縦材を装着するための装着部材は、一部が縦材表面にあらわれることとなるものの、これが横ビームに装着されている部分は、当該横ビームの内側に隠すことができ、外観を損ねることを防止できる。
【００２０】
さらに、断面コ字形の開口端を上向きにしてなる横ビームを使用する場合は、縦材を係止することで、当該縦材の装着を専らその重量に委ねることができる。また、断面コ字形の開口端を下向きにしてなる横ビームを使用する発明によれば、第一に、横ビームの開口端縁が目立たないようにすることができ、特に、低い位置に設けられる横ビームでは、横ビームの端縁に気付かれない構成とすることができる。第二に、雨水やゴミなどの蓄積を未然に防止できる。
【発明を実施するための最良の形態】
【００２１】
以下、本発明の実施の形態を図面に基づいて説明する。第一の実施形態は、図１に示すように、適宜間隔で立設された複数の支柱１に横ビーム２が支持され、この横ビーム２に縦材３を装着してフェンスＦが構成されている。本実施形態で使用されている横ビーム２は、フェンスＦの上方および下方の二個所に配置され、各縦材３は、上記のような横ビーム２の上下二個所に当接されながら装着されるものである。
【００２２】
ここで、横ビーム２は、平行な面を有して対向する２枚の当接片２１，２２と、この両当接片２１，２２を連続する連続片２３とで構成され、全体的に断面略コ字形に成形されている。そして、本実施形態では、このコ字形断面の開口端が上向きとなるように設けられたものである。また、両当接片２１，２２には、横ビーム２の長手方向に整列する複数の貫通孔２４，２５が穿設され、装着部材４，５が挿通できるようになっている。また、支柱１および縦材３にも同様の径の貫通孔が設けられており、装着部材４，５が挿通できるようになっている。従って、横ビーム固定用の装着部材４が、支柱１および横ビーム２を同時に挿通して支柱１に横ビーム２を固定し、縦材装着用の装着部材５が、縦材３および横ビーム２を同時に挿通して横ビーム２に縦材３を装着できるものである。
【００２３】
上記のような構成であるから、図２に示すように、縦材３は、横ビーム２の両側に装着することができ、フェンスの両側において、背後に横ビーム２を有する縦材３による外観を生じさせることができるのである。ここで、横ビーム２の両側に設けられる縦材３は、相互に横ビーム２を中心に対称となる関係に設けることができる。すなわち、横ビーム２の当接片２１，２２に設けられる貫通孔２４，２５は、同じピッチにより、それぞれ対向する位置に設けられており、同じ位置の貫通孔２４，２５を使用することにより、横ビーム２の両側に同じ状態で縦材３を装着することができるのである（図２（ａ）参照）。
【００２４】
また、縦材３には、貫通孔３１が穿設され、これに装着部材５を構成する貫通ボルト５１が挿通される。貫通ボルト５１は、縦材３を貫通したうえ横ビーム２の当接片２１，２２のいずれか一方の貫通孔２４，２５をも貫通できる程度の長さを有して設けられている。従って、この貫通ボルト５１が上記貫通孔３１に挿通されることによって、この貫通ボルト５１の先端部分が縦材３の反対側から十分な長さをもって突出することとなるのである。そこで、縦材３から突出する貫通ボルト５１の先端部分を横ビーム２の貫通孔２４，２５のどちらかに挿通させ、かつ、その先端部分にナット５２を螺合させることで、縦材３の装着を可能にしている。なお、本実施形態では、ナット５２を装着する場合に座金５３を使用することによって、ナット５２の締め付けを容易にしている。
【００２５】
上記のようにして縦材３を装着する場合には、図２（ｂ）に示すように、横ビーム２の当接片２１，２２の外側表面２０に縦材３の表面３０が部分的に当接するようになっている。この両者の当接により、縦材３が、貫通ボルト５１の頭部と、当接片２１，２２との間に挟まれて固定されるのである。そして、当接片２１，２２が適度の間隔を有して設けられることによって、当接部２１，２２の両側から挿通される貫通ボルト５１，５１が接触することがなく、しかも、両当接片２１，２２の中間に２個のナット５２，５２を配置することが可能となる。
【００２６】
本実施形態によれば、支柱１（図１）に対して横ビーム２のみを固定したうえで、縦ビーム３を順次装着することができる。従って、フェンスＦの設置現場において全体を構築することが可能であり、しかも、設置現場ごとに縦材３の間隔を変更させながら全体のバランスを整えることができる。さらに、構築されたフェンスＦは、その両側が表として機能することとなり、フェンスＦの両側において意匠性に優れた状態に仕上げることができる。
【００２７】
次に、第二の実施形態について説明する。本実施形態は、図３（ａ）に示すように、横ビーム１０２は、第一の実施形態とほぼ同様に、平行な当接片１２１，１２２を有する断面コ字形に成形され、開口部を上向きにして設けられるものである。この横ビーム１０２には、縦材１０３を装着する際に使用する貫通孔２４，２５（図２）が設けられておらず、これに代えて、縦材１０３に係止片１５１を有する装着部材１０５が設けられている。この係止片１５１は、弾性変形可能な金属製部材で構成され、横ビーム１０３の当接片１２１，１２２の端縁１２６，１２７に係止できるようになっている。
【００２８】
上記装着部材１０５により横ビーム１０２に装着された縦材１０３は、図３（ｂ）に示すように、その自重によって装着状態が維持されるものである。すなわち、複数の（図３（ｂ）は２本の）横ビーム１０２ａ，１０２ｂが支柱によって支持される状態において、これら複数の横ビーム１０２ａ，１０２ｂに対して装着すべき縦材１０３の所定個所（２個所）に予め装着部材１０５ａ，１０５ｂが設けられており、これらの装着部材１０５ａ，１０５ｂによって、それぞれの横ビーム１０２ａ，１０２ｂに係止されるものである。そして、縦材１０３の重量が下向きに作用するため、縦材１０３が持ち上げられることなく係入状態が維持されるのである。このような係入状態において、縦材１０３は、少なくとも２個所（図は上下の２個所）で係止されることから、縦材１０３の傾倒は抑制される。また、第一の実施形態と異なり、貫通孔２４，２５（図２）を使用しないため、隣接する縦材１０３の間隔を自由に変化させることができることとなる。
【００２９】
なお、本実施形態において、横ビーム１０２の支柱による支持のために、支柱との連結を予定する位置に第一の実施形態と同様の貫通孔を設ける構成とすることもできるが、別途ブラケットを使用することにより、横ビーム１０２の当接片１２１，１２２に貫通孔を設けることなく横ビーム１０２を支持させることも可能である。この場合のブラケットの例としては、図３（ｃ）に示すように、横ビーム１０２の連続片１２３に当接する面を有するものがある。このブラケット１０６を使用するには、横ビーム１０２の連続片１２３に貫通孔１６１を設け、同様にブラケット１０６の表面にも貫通孔１６２を設け、両貫通孔１６１，１６２を挿通するボルト１６３およびナット１６４により両者を締着する方法がある。このブラケット１０６を支柱１０１との固定は溶接などの手段が考えられるが、他の方法により強固に固定することもできる。また、ブラケット１０６を使用せずに支柱１０１に横ビーム１０２を固定する場合、両部材１０１，１０２が鋼材である場合には、支持すべき部分において両部材１０１，１０２を溶接により直接固着することも可能である。
【００３０】
次に、第三の実施形態について説明する。本実施形態は、上記第一の実施形態における横ビーム２を変形したものである。すなわち、図４（ａ）に示すように、本実施形態の横ビーム２０２は、二枚の当接片２２１，２２２が連続片２２３によって連続されており、一方の当接片２２１が連続片２２３から上方に立設し、他方の当接片２２２が連続片２２３から下方に垂下する状態で構成されている。この両当接片２２１，２２２は相互に平行となっており、また、両当接片２２１，２２２には、長手方向に沿って整列された複数の貫通孔２２４，２２５が穿設されている。
【００３１】
本実施形態によれば、図４（ｂ）に示すように、当接片２２１，２２２の外側表面２２０，２２０に縦材２０３を当接することにより、横ビーム２０２の両側に縦材２０３を装着することができるものである。装着部材は、第一の実施形態と同様に貫通ボルト２５１およびナット２５２によって構成され、縦材２０３には貫通ボルト２５１が貫挿し得る貫通孔２３１が設けられている。従って、縦材２０３の装着は、貫通ボルト２５１の先端部分を横ビーム２０２の貫通孔２２４，２２５に挿通させたうえでナット２５２を螺合させることによることとなり、貫通ボルト２５１の頭部と当接片２２１，２２２との間に挟まれて安定的に装着されることとなる。本実施形態が第一の実施形態と相違する点は、貫通ボルト２５１が設けられる位置が、横ビーム２０２の両側で異なることである。連続片２２３から垂下する状態の当接片２２１における貫通ボルト２５１はやや下方に、立設する状態の当接片２２２における貫通ボルト２５１はやや上方に設けられるのである。従って、両貫通ボルト２５１，２５１に螺合させるべきナット２５２，２５２は、横ビーム２０２の連続片２２３を境にして上下に分かれて配置されることとなる。このような状態で貫通ボルト２５１が配置されることから、横ビーム２０２の両側に設けられる縦材２０３の間隔を第一の実施形態に比較して狭くすることが可能となる。
【００３２】
次に、第四の実施形態について説明する。本実施形態は、基本的には第一の実施形態における横ビーム２の向きを上下方向に逆転させたものである。図５（ａ）に示すように、本実施形態の横ビーム３０２は、断面コ字形に成形されており、二枚の当接片３２１，３２２が平行かつ対向するように設けられたものであって、コ字形断面の開口端を下向きにしてなるものである。このような向きにしてなる横ビーム３０２を使用することにより、図５（ｂ）に示すように、連続片３２３が横ビーム３０２の上面を構成することとなり、横ビーム３０２の長手方向に連続して一体の平面を現出させることができる。これにより、横ビーム３０２に対して上方からまたは斜め上方から縦材３０３の装着状態を確認しようとしても、上記連続片３２３によって内部を見ることができず、近くでフェンスを見られても美的外観を損ねることがない。
【００３３】
また、その他の構成は第一の実施形態と同様であるから、横ビーム３０２の同じ位置に設けられた貫通孔３２４，３２５を使用して両側に縦材３０３を装着する場合、横ビーム３０２を中心として対称な位置関係となるように縦材３０３を配置することができる。
【００３４】
なお、本実施形態および第一の実施形態においては、横ビーム２，３０２を中心として対称な位置関係となるように縦材３，３０３を配置する場合、縦材３，３０３の表面に露出する部分が、装着部材を構成する貫通ボルト５１，３５１の頭部であるか、その先端部分およびナット５２，３５２であるかの差異を甘受できる場合には、図６に示すように、長尺な貫通ボルト５１，３５１を使用することにより、横ビーム２，３０２を中間に配置しつつ両側に装着される縦材３，３０３を同時に締着させることによって、縦材３，３０３を装着することも可能である。このような方法により縦材３，３０３を装着する場合は、貫通ボルト５１，３５１およびナット５２，３５２による締着力によって、当接片２１，２２，３２１，３２２の内向きに撓む可能性があるため、両当接片２１，２２，３２１，３２２の中間に円筒状のスペーサ７，３０７を使用することにより、それぞれ個別に装着する場合と同じ状態で縦材３，３０３を装着することができる。
【００３５】
本発明の実施形態は上記のとおりであるから、縦材３，１０３，２０３，３０３の装着位置および隣接するものとの間隙を変化させることによって種々の形態のフェンスを構築することができる。その一例は、図１において示したようなフェンスＦであり、このフェンスＦは、横ビーム２の両側に装着される縦材３は、横ビーム２を中心として対称な位置関係となるように設けたものである。このように縦材３，１０３，２０３，３０３を装着することにより、横ビーム２，１０２，２０２，３０２が縦材３，１０３，２０３，３０３によってフェンスＦの表面に現出することを防ぎ、いずれの側からフェンスＦを見た場合であっても、縦材３，１０３，２０３，３０３が横ビーム２，１０２，２０２，３０２よりも手前側に存在することとなり、途切れた状態で縦材３，１０３，２０３，３０３が見えることと比較して意匠性に優れたものとなる。そして、縦材３，１０３，２０３，３０３が装着される間隔を短くすれば、フェンスＦに対して斜め横方向からフェンスＦの表面を見るときは、手前側に位置する縦材３，１０３，２０３，３０３の存在によって、横ビーム２，１０２，２０２，３０２および反対側の縦材３，１０３，２０３，３０３が見えなくなり、意匠性の一層の向上が期待できる。
【００３６】
さらに、上記のような構成によれば、少なくとも縦材３，１０３，２０３，３０３を木製部材で構成することができるので、構築されたフェンスＦの意匠性を向上させることの一助となり得る。しかも、近年では間伐材の利用方法が模索されているところ、上述のような縦材３，１０３，２０３，３０３に間伐材を使用すれば、一度に大量の間伐材を使用することができるという効果をも有している。
【００３７】
このようなフェンスとは異なる形態のフェンスを構築する場合の例を図７に示している。そこで、図７に例示のフェンスＦについて説明する。いずれの実施形態においても同様に構成できるから、第四の実施形態を代表例として説明する。図７（ａ）に示すように、例示のフェンスＦは、横ビーム３０２を中心として、その両側に千鳥状に縦材３０３を装着したものである。このような縦材３０３の装着の場合、一部の縦材３０３は横ビーム３０２によって途切れた状態で現出することとなる。しかし、このようなフェンスＦは、どちらの側から見ても同じ状態であり、表側と裏側との区別が実質的になくなることとなる。しかも、縦材３０３が千鳥状に装着されているため、規則的に横ビーム３０２が見え隠れすることとなり、幻想的な模様を構成し、これまた意匠性を向上させ得るものである。また、横ビーム３０２の当接片３２１，３２２には、縦材３０３が装着されるべき位置のみ貫通孔３２４を設けることにより、当接片３２１，３２２の外側表面３２０に不要な貫通孔３２４を露出させないことができるほか、逆に、敢えて貫通孔３２４を設けることにより模様の一部として表現させることもできる。
【００３８】
そして、第三の実施形態を除く他の実施形態では、図７（ｂ）に示すように、縦材３０３が装着される際に使用しているボルト３５１の先端部分およびナット３５２が、横ビーム３０２の内側にのみ存在することとなり、裏側となるべき部材をフェンスＦの外側から見ることができず、良好な意匠性を発揮させることができる。さらに、上記ナット３５２が横ビーム３０２の内部で接近することがないから、横ビーム３０２の両当接片３２１，３２２の間隔を狭く構成することができる。
【００３９】
また、上記の形態を変形してなるフェンスＦとしては、図８に示すようものがある。このフェンスＦは、いわゆる板塀に類似する形態のものである。すなわち、横ビーム３０２を中心に木製板材３０８を千鳥状に設けることにより、各木製板材３０８の集合により板塀のようなフェンスＦとなるのである。一般的な板塀は、横ビーム３０２に類似する胴縁の両側に木製板材を交互に打ち付けた構成のものであるが、上記フェンスＦの形態は、横ビーム３０２および支柱（図１）を鋼材等の金属製で構成しつつ、板塀のような風合いを奏することができる。
【図面の簡単な説明】
【００４０】
【図１】本発明の第一の実施形態を示す説明図である。
【図２】第一の実施形態の詳細を示す説明図である。
【図３】第二の実施形態を示す説明図である。
【図４】第三の実施形態を示す説明図である。
【図５】第四の実施形態を示す説明図である。
【図６】第一および第四の実施形態を変形した態様を示す説明図である。
【図７】他のフェンスの態様を示す説明図である。
【図８】他のフェンスの態様を示す説明図である。
【符号の説明】
【００４１】
１  支柱
２，１０２，２０２，３０２  横ビーム
３，１０３，２０３，３０３  縦材
４，５  装着部材
２１，２２  当接片
２３  連続片
２４，２５，２２４，２２５，３２４，３２５  貫通孔
３１，１３１，２３１，３３１  貫通孔
５１，２５１，３５１  貫通ボルト
５２，２５２，３５２  ナット
１２６，１２６  開口端縁
１５１  係止片
Ｆ  フェンス
【図１】
2006214121.tif 000003
【図２】
2006214121.tif 000004
【図３】
2006214121.tif 000005
【図４】
2006214121.tif 000006
【図５】
2006214121.tif 000007
【図６】
2006214121.tif 000008
【図７】
2006214121.tif 000009
【図８】
2006214121.tif 000010